(57)【要約】      （修正有）【課題】容易に木に穴を開けることができ、低い駆動トルクで木にしっかりとかみ合い、木が割れるのを防ぐ木ねじを提供する。【解決手段】木ねじは頭部、胴部および第一かみ合いねじ山を含む。頭部は締結具を受ける。胴部は頭部から伸び、平行胴部を有し、平行胴部の先端で形成されるテーパ部およびテーパ部の先端で形成される先端を有する。第一かみ合いねじ山は平行胴部で形成されて先端へ達して、先端の近くに形成される第一かみ合いねじ山の一部は反転のねじ山である。反転のねじ山は平行胴部で第一かみ合いねじ山のリード角よりも小さいリード角を有する。【選択図】図２ａ
0003173168.tif 000002
【実用新案登録請求の範囲】
【請求項１】
木ねじであって、
締結具を受ける構成である頭部と、
前記頭部から伸びる胴部、平行胴部を有する前記胴部、前記平行胴部の先端で形成されるテーパ部および前記テーパ部の先端で形成される先端と、
前記平行胴部で形成されて前記先端へ達する第一かみ合いねじ山であって、前記先端の近くに形成される前記第一かみ合いねじ山の一部は反転のねじ山で、前記反転のねじ山は前記平行胴部で前記第一かみ合いねじ山のリード角よりも小さいリード角を有している第一かみ合いねじ山と、
から成る木ねじ。
【請求項２】
前記平行胴部で形成されて前記先端へ達する第二かみ合いねじ山であって、前記第一および第二かみ合いねじ山は交互に配置される第二かみ合いねじ山からさらに成る、請求項１に記載の木ねじ。
【請求項３】
前記かみ合いねじ山は前記先端へ達する、請求項２に記載の木ねじ。
【請求項４】
前記先端の近くに形成される前記第二のかみ合いねじ山の一部は反転のねじ山であり、前記第二のかみ合いねじ山の前記反転のねじ山は前記平行腹部で第二のかみ合いねじ山のリード角よりも小さいリード角を有している、請求項３に記載の木ねじ。
【請求項５】
木ねじであって、
締結具を受ける構成である頭部と、
前記頭部から伸びる胴部、平行胴部を有する前記胴部、前記平行胴部の先端で形成されるテーパ部および前記テーパ部の先端で形成される先端と、
前記平行胴部で形成されるかみ合いねじ山と、
前記テーパ部で形成されて前記先端から伸びる第一ねじ切りであり、前記第一ねじ切りは前記かみ合いねじ切りと繋がらず、前記先端の近くに形成される前記第一ねじ切りの一部は反転のねじ山であって、
前記かみ合いねじ山は前記反転のねじ山のリード角よりも大きいリード角を有して前記平行胴部に近い前記第一ねじ切りのリード角よりも小さい第一ねじ切りと、
から成る木ねじ。
【請求項６】
前記テーパ部で形成されて前記先端から伸びる少なくとも１つの第二ねじ切りであって、前記第二のねじ切りは前記かみ合いねじ山に繋がらない第二ねじ切りからさらに成る、請求項５に記載の木ねじ。
【請求項７】
前記先端の近くに形成される前記第二ねじ切りの一部は反転のねじ山であり、前記かみ合いの前記リード角は前記第二ねじ切りの前記反転のねじ山のリード角よりも大きくて前記平行胴部の近くの前記第二ねじ切りのリード角よりも小さい、請求項６に記載の木ねじ。
【請求項８】
前記木ねじは２つの第二ねじ切りを有する、請求項６に記載の木ねじ。
【考案の詳細な説明】
【背景技術】
【０００１】
関連出願の相互参照
本出願は参照によって本明細書に組み込まれる完全な開示である、２０１１年１月２５日に出願された台湾特許出願シリアル番号１００２０１６３９の優先権の利益を主張する。
【技術分野】
【０００２】
１．本発明の技術分野
本発明はねじ、およびさらにとりわけ、木ねじに関する。
【０００３】
２．関連技術の説明
図１を参照すると、従来の木ねじ１００は頭部１１０および胴部１２０を有する。前記頭部１１０は締結具を受ける構成である。前記胴部１２０は前記頭部１１０から伸びて平行胴部１２４および前記平行胴部の先端で形成されるテーパ部１２２を含む。さらに、らせん状のねじ山１３０は前記テーパ部１２２および前記平行胴部１２４で形成される。
【０００４】
前記木ねじ１００は駆動する前に穴をドリルで開けることなく木へ直接締め付けることもできる。しかしながら、前記木ねじ１００は、前記平行胴部１２４およびねじ山１３０は木に接触していることによって生じる抵抗が大きくなっているため、前記ねじ１００を木へ駆動する間、締め付けに必要な駆動トルクはますます大きくなるという欠点を有する。さらに、前記ねじ山１３０によって木から切り取られた切りくずはまた排出することも難しい。従って、木は前記ねじ１００は木へ駆動する間、割れる傾向がある。
【０００５】
従って、前述の問題を解決するために木ねじを提供する必要がある。
【考案の概要】
【考案が解決しようとする課題】
【０００６】
本発明は木ねじを提供する。一つの実施形態において、本発明の前記木ねじは頭部、胴部および、かみ合いねじ山を含む。前記頭部は締結具を受ける構成である。前記胴部は前記頭部から伸びて平行胴部、前記平行胴部の先端で形成されるテーパ部および前記テーパ部の先端で形成される先端を有する。第一かみ合いねじ山は前記平行胴部で形成されて前記先端に達し、前記先端の近くに形成される第一かみ合いねじ山の一部は反転のねじ山である。前記反転のねじ山は前記平行胴部で前記第一かみ合いねじ山のリード角よりも小さいリード角を有する。
【０００７】
本発明によると、前記木ねじは前記平行胴部で形成され前記テーパ部へ達する第二かみ合いねじ山をさらに含む。前記第一および第二かみ合いねじ山は交互に配置される。
【０００８】
本発明によると、前記第二かみ合いねじ山は前記先端に達する。
【０００９】
本発明によると、前記先端の近くに形成される前記第二かみ合いねじ山の一部は反転のねじ山である。前記第二かみ合いねじ山の前記反転のねじ山は前記平行胴部で前記第二かみ合いねじ山のリード角よりも小さいリード角を有する。
【００１０】
もう一つ別の実施形態において、本発明の前記木ねじは頭部、胴部、かみ合いねじ山および第一ねじ切りを含む。前記頭部は締結具を受ける構成である。前記胴部は前記頭部から伸びて平行胴部、前記平行胴部の先端で形成されるテーパ部および前記テーパ部の先端で形成される先端を有する。前記かみ合いねじ山は平行胴部で形成される。前記第一ねじ切りは前記テーパ部で形成されて前記先端から伸びて、前記第一ねじ切りは前記かみ合いねじ山と繋がらない。前記先端の近くに形成される第一ねじ切りの一部は反転のねじ山であり、前記かみ合いねじ山は前記反転のねじ山のリード角よりも大きいリード角を有して前記平行胴部に近い前記第一ねじ切りのリード角より小さい。
【００１１】
本発明によると、前記木ねじは少なくとも一つの前記先端で形成されて先端から伸びる第二ねじ切りをさらに含む。前記第二ねじ切りは前記かみ合いねじ山と繋がらない。
【００１２】
本発明によると、前記先端の近くに形成される第二ねじ切りの一部は反転のねじ山である。前記かみ合いねじ山の前記リード角は前記第二ねじ切りの前記反転のねじ山のリード角より大きく、前記平行胴部の近くの前記第二ねじ切りのリード角よりも小さい。
【００１３】
本発明によると、前記木ねじは二つの第二ねじ切りを有する。
【００１４】
本発明の前記木ねじによると、前記反転のねじ山は小さいリード角を有しているので、木の表面を前記ねじ切りが穴を開けて穴を拡大すると同時に木を切る補助をするためにすぐにつかむことができる。さらに、前記反転のねじ山はまた前記かみ合いねじ山が穴を開けるのを容易にして低い駆動トルクで木にしっかりとかみ合い、それにより、木が割れるのを防ぐ。
【００１５】
開示の前述、同様に追加の目的、特徴および長所は以下の添付図面の参照に続く、詳細な説明から、より容易に明らかである。
【図面の簡単な説明】
【００１６】
【図１】従来の木ねじを示す図である。
【図２ａ】本発明の第一の実施形態による木ねじを示す図である。
【図２ｂ】図２の局所的拡大図である。
【図３】本発明の第二の実施形態による木ねじを示す図である。
【図４ａ】本発明の第三の実施形態による木ねじを示す図である。
【図４ｂ】図４の局所的拡大図である。
【図５ａ】本発明の第四の実施形態による木ねじを示す図である。
【図５ｂ】図５の局所的拡大図である。
【考案を実施するための形態】
【００１７】
図２ａおよび図２ｂを参照すると、本発明の第一の実施形態による木ねじ２００は頭部２１０および胴部２２０を含む。前記頭部２１０は締結具を受ける構成である。前記胴部２２０は前記頭部２１０から伸びて軸２９０を定義する。前記胴部２２０は平行胴部２２４、前記平行胴部２２４の先端で形成されるテーパ部２２２、および前記テーパ部２２２の先端で形成される先端２２６を有する。かみ合いねじ山２３０は前記平行胴部２２４で形成されて前記テーパ部２２２の先端で形成される前記先端２２６に達する。前記かみ合いねじ山２３０は引き出される抵抗によって木とかみ合うことができる。前記先端２２６の近くに形成される前記かみ合いねじ山２３０の一部は反転のねじ山２３２である（図２ｂ参照）。前記反転のねじ山２３２は小さいリード角を有しているので、木をすぐにつかむことができる。さらに、前記反転のねじ山２３２はまた前記かみ合いねじ山２３０が穴を開けて木に早くかみ合うことを容易にすることができる。前記先端２２６の近くの前記反転のねじ山２３２はリード角θ１を有して、前記平行胴部２２４のかみ合いねじ山２３０はリード角θ２を有していて、θ１はθ２よりも小さい（θ１＜θ２）。
【００１８】
図３を参照すると、本発明の第二の実施形態による木ねじ３００は前記木ねじ２００と似ている形状を有していて、同一の参照数字は、図に共通する同一の要素の指定で使用されている。この実施形態において、前記木ねじ３００のかみ合いねじ山２３０は２倍のねじ山である。前記木ねじ３００は２つのかみ合いねじ山２３０を有している、ということである。前記２つのかみ合いねじ山２３０は交互に並べられてお互いに繋がらない。前記２つのかみ合いねじ山２３０は１つまたは２つの反転のねじ山２３２を含んでもよい。特に、２つのかみ合いねじ山２３０の１つは反転のねじ山２３２を有する、または２つのかみ合いねじ山２３０のそれぞれが反転のねじ山２３２を有する。
【００１９】
図４ａおよび４ｂを参照すると、本発明の第三の実施形態による木ねじ４００は頭部４１０および胴部４２０を有する。前記頭部４１０は締結具を受ける構成である。前記胴部４２０は前記頭部４１０から伸びて軸４９０を定義する。前記胴部４２０は平行胴部４２４、前記平行胴部４２４の先端で形成されるテーパ部４２２、および前記テーパ部４２２の先端で形成される先端４２６を有する。かみ合いねじ山４３０は前記平行胴部４２４で形成されて引き出される抵抗によって木とかみ合うことができる。前記木ねじ４００は前記先端４２６から伸びて前記テーパ部４２２で形成する少なくとも１つのらせん状のねじ切り４４０をさらに含む。前記ねじ切り４４０は前記かみ合いねじ山４３０と繋がらない。前記先端４２６の近くに形成される少なくとも１つのねじ切りの一部は反転のねじ山４４２である（図４ｂ参照）。前記反転のねじ山４４２は小さいリード角を有しているので、木の表面を前記ねじ切り４４０が穴を開けて穴を拡大すると同時に木を切る補助をするためにすぐにつかむことができる。さらに、前記反転のねじ山４４２はまた前記かみ合いねじ山４３０が穴を開けて木に早くかみ合うことを容易にすることができる。前記かみ合いねじ山４３０はリード角θ２を有して、前記先端４２６の近くの前記反転のねじ山４４２はリード角θ１を有して、前記平行胴部４２４の近くの前記ねじ切り４４０はリード角θ３を有していて、θ２はθ１よりも大きいがθ３よりは小さい（θ１＜θ２＜θ３）。
【００２０】
図５ａおよび図５ｂを参照すると、本発明の第四の実施形態による木ねじ５００は前記木ねじ４００に近い形状を有していて、同一の参照数字は、図に共通する同一の要素の指定で使用されている。この実施形態において、前記木ねじ５００は複数のねじ切り４４０を有する。例えば、前記木ねじ５００は３つの前記ねじ切り４４０を有していて３つの前記ねじ切り４４０のそれぞれは反転のねじ山４４４２を有している。
【００２１】
本開示の望ましい実施形態は説明のために開示されてきたけれども、これらの当業者は、添付の請求項において開示される開示の範囲および精神から逸脱することなしで、様々な変更、追加および代用は可能であるということを理解するだろう。
【図１】
0003173168.tif 000003
【図２ａ】
0003173168.tif 000004
【図２ｂ】
0003173168.tif 000005
【図３】
0003173168.tif 000006
【図４ａ】
0003173168.tif 000007
【図４ｂ】
0003173168.tif 000008
【図５ａ】
0003173168.tif 000009
【図５ｂ】
0003173168.tif 000010